(57)【要約】【課題】音声情報の記録及び再生が可能な音声メッセージ伝達シートにおいて、外形を著しく変えることなく音声情報の再度の記録を禁止する。【解決手段】シート状に構成され、音声情報の記録及び再生が可能な音声情報記録／再生部１３０と、音声情報記録／再生部１３０を表裏から挟み込む２枚の支持シート１２０ａ，１２０ｂとを有し、音声情報記録／再生部１３０は、音声情報を記録するための配線パターン１３５ｂ−２が形成されたシート基板１３４ｂの少なくとも一部がベロ状となって該ベロ状の先端部が支持シート１２０ｂから離間可能に構成されている。【選択図】図１
2010006002.tif 000002
【特許請求の範囲】
【請求項１】
シート状に構成され、音声情報の記録及び再生が可能な音声情報記録／再生手段と、前記音声情報記録／再生手段を表裏から挟み込む２枚の第１のシートとを有してなる音声メッセージ伝達シートにおいて、
前記音声情報記録／再生手段は、音声情報を記録するための配線の少なくとも一部がベロ状となり、該ベロ状の先端部が、前記第１のシートに形成された穴部によって前記第１のシートから離間可能に構成されていることを特徴とする音声メッセージ伝達シート。
【請求項２】
請求項１に記載の音声メッセージ伝達シートにおいて、
前記音声情報記録／再生手段を挟み込んだ前記第１のシートを挟み込む２枚の第２のシートを有し、
前記配線の前記ベロ状となった部分は、前記第１のシートと前記第２のシートとの間に介在し、
前記第２のシートは、前記配線の前記ベロ状となった部分に対向する領域が捲り上げ可能に構成されている音声メッセージ伝達シート。
【発明の詳細な説明】
【技術分野】
【０００１】
本発明は、音声情報の記録及び再生が可能な音声メッセージ伝達シートに関し、特に、音声情報の再度の記録を禁止するための技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。送付物の発送先においては、送付されてきた送付物が受け取られた後、送付物に印刷された情報が閲覧されることにより、送付物の発送元にて通知したい情報が認識されることになる。
【０００３】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００４】
そこで、音声情報の記録及び再生が可能に構成された音声カードが考えられている（例えば、特許文献１参照。）。
【０００５】
このような音声カードは、例えば、音声情報が記録される回路部と、回路部に対する音声情報の記録や再生を行なうための記録・再生部とが２枚のカード基材に挟まれ、このカード基材に、音声情報を記録・再生部を介して入力する際に押下される録音ボタンと、回路部に記録された音声情報を記録・再生部を介して出力する際に押下される再生ボタンとが設けられて構成されている。回路部は配線基板上に搭載されており、この配線基板上には回路部に接続された導電パターンが形成されている。そして、録音ボタン及び再生ボタンはそれぞれ、配線基板に形成された導電パターンの所定の領域と対向する位置に設けられ、録音ボタンと導電パターンとが導通することにより音声情報が記録され、また、再生ボタンと導電パターンとが導通することにより音声情報が再生されることになる。
【０００６】
ここで、このように音声情報を記録可能に構成された音声カードに対する音声情報の記録は、記録・再生部を介して入力された音声情報を、回路部に記録された音声情報に上書きするように行われる。そのため、回路部に音声情報が記録された後に録音ボタンが誤って押下された場合、既に回路部に記録されている音声情報が消去されることになる。そこで、上述した特許文献１には、録音ボタン及びそれに対向する配線基板を容易に切り離すことができるような構成としておき、音声情報の記録後に録音ボタン及びそれに対向する配線基板を切り離すことにより、録音ボタンの誤操作によって音声情報が消去されてしまうことを回避する技術が記載されている。
【０００７】
また、配線基板及びこれを挟み込む２枚のカード基材をその一部が他の領域から突出した形状とし、配線基板の突出領域に録音ボタンと導通した導電パターンを形成しておき、音声情報の記録後に配線基板及びカード基材の突出領域を切り離すことにより、その後、録音ボタンの誤操作によって音声情報が消去されてしまうことを回避することが考えられている。
【特許文献１】特公平３−４５４３３号公報
【発明の開示】
【発明が解決しようとする課題】
【０００８】
しかしながら、上述したように、録音ボタン及びそれに対向する配線基板を容易に切り離し可能に構成しておき、音声情報の記録後に録音ボタン及びそれに対向する配線基板を切り離すことにより、録音ボタンの誤操作によって音声情報が消去されてしまうことを回避するものにおいては、音声情報が記録された音声カードを送付する場合、音声カードが、その一部が切り離された状態で送付先に送付されることになるため、送付される音声カードの外観が悪くなってしまうという問題点がある。また、このような音声カードとして、色紙のような縁部に着色領域を有するものを用いた場合、その外形が変わることにより、切り離した領域が着色されていない状態となってしまい、これによっても外観が悪くなってしまうという問題点がある。
【０００９】
また、配線基板及びこれを挟み込む２枚のカード基材が、その一部が他の領域から突出した形状であって、配線基板の突出領域に録音ボタンと導通した導電パターンが形成され、音声情報の記録後に配線基板及びカード基材の突出領域を切り離す構成としたものにおいては、音声情報の記録後に送付される音声カードの外形が悪くなってしまうことがないものの、上記同様に、その外形が変わることにより、色紙のような縁部に着色領域を有するものを用いた場合、切り離した領域が着色されていない状態となってしまい、外観が悪くなってしまうという問題点がある。また、一部が突出した状態となっているため、縁部を着色する作業が困難になってしまうという問題点がある。
【００１０】
本発明は、上述したような従来の技術が有する問題点に鑑みてなされたものであって、音声情報の記録及び再生が可能な音声メッセージ伝達シートにおいて、外形を著しく変えることなく音声情報の再度の記録を禁止することができる音声メッセージ伝達シートを提供することを目的とする。
【課題を解決するための手段】
【００１１】
上記目的を達成するために本発明は、
シート状に構成され、音声情報の記録及び再生が可能な音声情報記録／再生手段と、前記音声情報記録／再生手段を表裏から挟み込む２枚の第１のシートとを有してなる音声メッセージ伝達シートにおいて、
前記音声情報記録／再生手段は、音声情報を記録するための配線の少なくとも一部がベロ状となり、該ベロ状の先端部が、前記第１のシートに形成された穴部によって前記第１のシートから離間可能に構成されていることを特徴とする。
【００１２】
上記のように構成された本発明においては、２枚の第１のシートに挟み込まれた音声情報記録／再生手段に音声情報を記録した後、音声情報を記録するための配線のうち、ベロ状となった部分の先端部を第１のシートから離間して切断すると、音声情報を記録するための配線が切断される。これにより、音声情報記録／再生手段に音声情報を記録することができなくなり、音声情報記録／再生手段に既に記録された音声情報が誤って消去されてしまうことが防止される。この際、音声情報記録／再生手段に対する音声情報の再度の記録を禁止するために切断される部分は、音声情報を記録するための配線のうち、その先端部が、第１のシートに形成された穴部によって第１のシートから離間可能に構成されたベロ状となった部分であるので、音声情報記録／再生手段に対する音声情報の再度の記録を禁止した場合であっても、音声メッセージ伝達シートの外形が著しく変わることはない。
【００１３】
また、音声情報記録／再生手段を挟み込んだ第１のシートを挟み込む２枚の第２のシートを有し、配線のベロ状となった部分が第１のシートと第２のシートとの間に介在し、第２のシートが、配線のベロ状となった部分に対向する領域が捲り上げ可能に構成されているものにおいては、音声情報記録／再生手段に対する音声情報の再度の記録を禁止する場合、第２のシートの捲り上げ可能となった部分を捲り上げ、配線のベロ状となった部分を切断することになる。その後、捲り上げた第２のシートを元に戻せば、音声メッセージ伝達シートの外形が変わることがない。
【発明の効果】
【００１４】
以上説明したように本発明においては、シート状に構成され、音声情報の記録及び再生が可能な音声情報記録／再生手段と、音声情報記録／再生手段を表裏から挟み込む２枚の第１のシートとを有してなる音声メッセージ伝達シートにおいて、音声情報記録／再生手段は、音声情報を記録するための配線の少なくとも一部がベロ状となり、該ベロ状の先端部が、第１のシートに形成された穴部によって第１のシートから離間可能に構成され、音声情報記録／再生手段に対する音声情報の再度の記録を禁止する場合、音声情報を記録するための配線のうち、その先端部が第１のシートから離間可能に構成されたベロ状となった部分を切断することになるため、外形を著しく変えることなく音声情報の再度の記録を禁止することができる。
【００１５】
また、音声情報記録／再生手段を挟み込んだ第１のシートを挟み込む２枚の第２のシートを有し、配線のベロ状となった部分が第１のシートと第２のシートとの間に介在し、第２のシートが、配線のベロ状となった部分に対向する領域が捲り上げ可能に構成されているものにおいては、音声情報記録／再生手段に対する音声情報の再度の記録を禁止するために配線のベロ状となった部分を切断した後、第２のシートの捲り上げた部分を元に戻せば、音声メッセージ伝達シートの外形が変わることがない。
【発明を実施するための最良の形態】
【００１６】
以下に、本発明の実施の形態について図面を参照して説明する。
【００１７】
（第１の実施の形態）
図１は、本発明の音声メッセージ伝達シートの第１の実施の形態を示す図であり、（ａ）は全体を表面から見た図、（ｂ）は（ａ）に示した音声機能部１０１の内部構造を示す図、（ｃ）は（ａ）に示したＡ−Ａ’断面図、（ｄ）は（ａ）に示した音声機能部１０１を裏面から見た図である。また、図２は、図１に示した色紙１００のうち音声機能部１０１のの積層状態を示す図である。
【００１８】
本形態は図１及び図２に示すように、音声情報の記録及び再生が可能なシート状の音声情報記録／再生部１３０が、紙基材等の柔軟性を有し、かつ薄型の基材からなる第１のシートである２枚の支持シート１２０ａ，１２０ｂに挟み込まれ、また、音声情報記録／再生部１３０を挟み込んだ支持シート１２０ａ，１２０ｂが、その外形が支持シート１２０ａ，１２０ｂと同一形状であって、紙基材等の柔軟性を有し、かつ薄型の基材からなる第２のシートである２枚の表面シート１１０ａ，１１０ｂに挟み込まれて構成された色紙１００である。なお、この色紙１００のうち、音声情報記録／再生部１３０が支持シート１２０ａ，１２０ｂに挟み込まれた領域が音声機能部１０１となっており、また、周縁部には着色された金縁１０６が施されている。表面シート１１０ａ，１１０ｂ、支持シート１２０ａ，１２０ｂ及び音声情報記録／再生部１３０は、支持シート１２０ａ，１２０ｂの表裏に塗布された粘着剤１６０によって互いに接着されている。
【００１９】
音声情報記録／再生部１３０は、ピエゾ素子１４１、振動板１４２及びフィルムシート（不図示）からシート状に構成されて音声情報を入出力するための音声情報入出力部１４０と、音声情報入出力部１４０を介して入力された音声情報が記録されるＩＣチップを具備するＩＣ基板１３２と、ＩＣ基板１３２に記録された音声情報を音声情報入出力部１４０を介して出力する際に操作される薄型のスイッチ１３３ａと、音声情報入出力部１４０を介して入力された音声情報をＩＣ基板１３２に記録する際に操作される薄型のスイッチ１３３ｂと、ＩＣ基板１３２に接続され、ＩＣ基板１３２に電源を供給するための薄型のコイン電池１３１とから構成されている。なお、ＩＣ基板１３２と、コイン電池１３１及びピエゾ素子１４１とはそれぞれ、はんだ溶接されたリード線を介して互いに電気的に接続されている。また、スイッチ１３３ａ，１３３ｂは、シート基板１３４ａ，１３４ｂ上に搭載され、このシート基板１３４ａ，１３４ｂ上に形成された配線パターン１３５ａ−１，１３５ａ−２，１３５ｂ−１，１３５ｂ−２とＩＣ基板１３２とについても、はんだ溶接されたリード線を介して互いに電気的に接続されている。ＩＣ基板１３２内のＩＣチップは、音声情報入出力部１４０を介して入力された音声情報をメモリ領域に記録し、また、メモリ領域に記録された音声情報を音声情報入出力部１４０を介して出力する制御を行うものであって、コイン電池１３１によって電源が供給されるポート端子や、グランド電位に接続されたポート端子や、メモリ領域に記録された音声情報を音声情報入出力部１４０に出力するためのポート端子や、メモリ領域に記録された音声情報を音声情報入出力部１４０を介して出力するための指示信号が入力されるポート端子や、音声情報入出力部１４０を介して入力された音声情報をメモリ領域に記録するためのポート端子や、音声情報入出力部１４０を介して入力された音声情報をメモリ領域に記録するための指示信号が入力されるポート端子等を有し、このうち、メモリ領域に記録された音声情報を音声情報入出力部１４０を介して出力するための指示信号が入力されるポート端子がグランド電位となった場合、メモリ領域に記録された音声情報を音声情報入出力部１４０を介して出力し、また、音声情報入出力部１４０を介して入力された音声情報をメモリ領域に記録するための指示信号が入力されるポート端子がグランド電位となった場合、その後に音声情報入出力部１４０を介して入力された音声情報をメモリ領域に記録する。シート基板１３４ａ上に形成された配線パターン１３５ａ−１は、ＩＣ基板１３２内のＩＣチップのポート端子のうち、メモリ領域に記録された音声情報を音声情報入出力部１４０を介して出力するための指示信号が入力されるポート端子に接続され、シート基板１３４ａ上に形成された配線パターン１３５ａ−２は、ＩＣ基板１３２内のＩＣチップのポート端子のうち、コイン電池１３１のグランド電位に接続されたポート端子に接続されている。また、シート基板１３４ｂ上に形成された配線パターン１３５ｂ−１は、ＩＣ基板１３２内のＩＣチップのポート端子のうち、音声情報入出力部１４０を介して入力された音声情報をメモリ領域に記録するための指示信号が入力されるポート端子に接続され、シート基板１３４ｂ上に形成された配線パターン１３５ｂ−２は、ＩＣ基板１３２内のＩＣチップのポート端子のうち、コイン電池１３１のグランド電位に接続されたポート端子に接続されている。
【００２０】
表面シート１１０ａには、スイッチ１３３ａと対向する領域に、スイッチ１３３ａを示す再生ボタン１０２ａが表示され、また、スイッチ１３３ｂと対向する領域に、スイッチ１３３ｂを示す録音ボタン１０２ｂが表示されている。この再生ボタン１０２ａ及び録音ボタン１０２ｂは、シールを貼付することや印刷によって表示されている。また、表面シート１１０ａには、この色紙１００を用いてメッセージを記入するための情報記入領域１０３が設けられている。
【００２１】
支持シート１２０ａにおいては、音声情報記録／再生部１３０と積層された場合に、音声情報入出力部１４０、コイン電池１３１、ＩＣ基板１３２、スイッチ１３３ａ，１３３ｂ及びシート基板１３４ａ，１３４ｂに対向する領域に穴部１２１が形成されている。この穴部１２１は、これら音声情報入出力部１４０、コイン電池１３１、ＩＣ基板１３２、スイッチ１３３ａ，１３３ｂ及びシート基板１３４ａ，１３４ｂを含む大きさとなっている。
【００２２】
支持シート１２０ｂにおいては、音声情報記録／再生部１３０と積層された場合に、音声情報入出力部１４０に対向する領域に穴部１２３が形成され、また、コイン電池１３１に対向する領域に穴部１２４が形成され、また、ＩＣ基板１３２に対向する領域に穴部１２５が形成されている。また、音声情報記録／再生部１３０と積層された場合に、シート基板１３４ｂの一部に対向する領域に穴部１２２が形成されている。なお、支持シート１２０ｂの音声情報入出力部１４０と対向する領域に形成された穴部１２３は音声情報入出力部１４０よりも小さく、また、コイン電池１３１と対向する領域に形成された穴部１２４はコイン電池１３１よりも大きく、ＩＣ基板１３２と対向する領域に形成された穴部１２５はＩＣ基板１３２よりも大きくなっている。
【００２３】
このように、支持シート１２０ａの、音声情報入出力部１４０、コイン電池１３１、ＩＣ基板１３２、スイッチ１３３ａ，１３３ｂ及びシート基板１３４ａ，１３４ｂと対向する領域に穴部１２１が形成され、また、支持シート１２０ｂの、音声情報入出力部１４０、コイン電池１３１及びＩＣ基板１３２と対向する領域に穴１２３〜１２５がそれぞれ形成されることにより、コイン電池１３１、ＩＣ基板１３２、スイッチ１３３ａ，１３３ｂ及び音声情報入出力部１４０が設けられている領域と他の領域とで厚さの差が小さくなり、それにより、表面シート１１０ａ，１１０ｂの平坦性が向上し、表面シート１１０ａ上にメッセージを記入しやすくすることができるようになる。さらには、音声情報記録／再生部１３０の最も厚い部分の厚さに対して、支持シート１２０ａ，１２０ｂの厚さを合計した厚さを同等、若しくは厚くすることにより、表面シート１１０ａ，１１０ｂをほぼ平坦な状態とすることができる。
【００２４】
表面シート１１０ｂには、音声情報入出力部１４０と対向する領域に、音声情報入出力部１４０を介して音声を入力したり、音声情報入出力部１４０から出力された音声を外部に出力したりするための微細な穴が羅列されてなる音声入出力領域１０４が形成されている。このように微細な穴が羅列されてなる音声入出力領域１０４が形成されているため、音声情報入出力部１４０がその表裏を表面シート１１０ａ，１１０ｂで覆われた状態であっても、音声情報入出力部１４０から出力される音量の低下を補うことができる。なお、音声入出力領域１０４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、支持シート１２０ｂの穴部１２２に対向する領域に穴部１１１が形成されている。
【００２５】
そして、音声情報記録／再生部１３０のうち、シート基板１３４ｂは、支持シート１２０ｂ上に固定されているものの、その一部が穴部１１１，１２２を介して色紙１００の裏面側に表出してフリーな状態となっている。このように、一部が固定され、他の部分がフリーな状態となっていることを、ベロ状と定義する。この定義を用いて説明すれば、シート基板１３４ｂは、その一部がベロ状となり、ベロ状の先端部が穴部１１１，１２２を介して色紙１００の裏面側に表出し、支持シート１２０ｂ及び表面シート１１０ｂから離間可能となっている。すなわち、音声情報記録／再生部１３０に音声情報を記録するための配線の一部がベロ状となり、その先端部が穴部１１１，１２２によって色紙１００の裏面側に表出し、支持シート１２０ｂ及び表面シート１１０ｂから離間可能となっている。
【００２６】
以下に、上記のように構成された色紙１００の使用方法について説明する。
【００２７】
上記のように構成された色紙１００の音声機能部１０１に対して音声情報を記録する場合は、まず、録音ボタン１０２ｂを介してスイッチ１３３ｂを押下する。
【００２８】
図３は、図１に示したスイッチ１３３ｂの操作による音声機能部１０１の動作を説明するための図であり、（ａ）はシート基板１３４ｂ上の詳細な構成を示す図、（ｂ）はスイッチ１３３ｂが押下されていない状態におけるスイッチ１３３ｂ及びシート基板１３４ｂの断面図、（ｃ）はスイッチ１３３ｂが押下された状態におけるスイッチ１３３ｂ及びシート基板１３４ｂの断面図、（ｄ）はスイッチ１３３ｂが押下されていない状態における等価回路図、（ｅ）はスイッチ１３３ｂが押下された状態における等価回路図である。
【００２９】
図３（ａ）に示すように、シート基板１３４ｂには、リード線を介してＩＣ基板１３２に接続された２つの配線パターン１３５ｂ−１，１３５ｂ−２が形成されている。この２つの配線パターン１３５ｂ−１，１３５ｂ−２はそれぞれ櫛状となっており、櫛の歯の部分が互い違いに対向するように形成されている。配線パターン１３５ｂ−１，１３５ｂ−２のうち一方の配線パターン１３５ｂ−１は、ＩＣ基板１３２内のＩＣチップのポート端子のうち、音声情報入出力部１４０を介して入力された音声情報をメモリ領域に記録するための指示信号が入力されるポート端子に接続され、他方の配線パターン１３５ｂ−２は、ＩＣ基板１３２を介してコイン電池１３１のグランド端子に接続されている。この配線パターン１３５ｂ−２は、一端がスイッチ１３３ｂと対向し、シート基板１３４ｂの突出部分にてＵターンし、他端がＩＣ基板１３２を介してコイン電池１３１のグランド端子に接続されるように形成されている。そして、シート基板１３４ｂの突出部分には、突出部分を切り離す際のきっかけとなる切り込み１３６が形成されている。
【００３０】
スイッチ１３３ｂが押下されていない状態においては、図３（ｂ）に示すように、スイッチ１３３ｂが２つの配線パターン１３５ｂ−１，１３５ｂ−２に接しておらず、それにより、図３（ｄ）に示すように、ＩＣ基板１３２内のＩＣチップのポート端子のうち、配線パターン１３５ｂ−１に接続され、音声情報入出力部１４０を介して入力された音声情報をメモリ領域に記録するための指示信号が入力されるポート端子はオープン状態となっている。そのため、この状態で音声情報入出力部１４０を介して音声情報が入力されてもその音声情報はＩＣ基板１３２に記録されない。
【００３１】
スイッチ１３３ｂが押下されると、図３（ｃ）に示すように、スイッチ１３３ｂがシート基板１３４ｂの表面に沿うように変形し、それにより、スイッチ１３３ｂの裏面に塗布された導電剤１３７を介して２つの配線パターン１３５ｂ−１，１３５ｂ−２が電気的に接続された状態となる。すると、図３（ｅ）に示すように、配線パターン１３５ｂ−２がコイン電池１３１のグランド端子に接続されているため、配線パターン１３５ｂ−１と接続されたポート端子、すなわち、音声情報入出力部１４０を介して入力された音声情報をメモリ領域に記録するための指示信号が入力されるポート端子がコイン電池１３１による電源１３１ａのグランド電位となり、その状態において、音声情報入出力部１４０を介して音声情報を入力すると、入力された音声情報がＩＣ基板１３２に記録されることになる。
【００３２】
このようにしてＩＣ基板１３２のメモリ領域に音声情報が記録された後、録音ボタン１０２ｂが誤って押下された場合、ＩＣ基板１３２のメモリ領域に記録された音声情報が上書き動作によって消去されてしまう。そこで、シート基板１３４ｂの突出部分を切り離す。
【００３３】
図４は、図１に示した色紙１００においてシート基板１３４ｂの一部が切り離された状態における動作を説明するための図であり、（ａ）はシート基板１３４ｂの一部が切り離される前の状態を色紙１００の裏面から見た図、（ｂ）はシート基板１３４ｂの一部が切り離された状態のシート基板１３４ｂ上の詳細な構成を示す図、（ｃ）はシート基板１３４ｂの一部が切り離された後にスイッチ１３３ｂが押下された状態における等価回路図、（ｄ）はシート基板１３４ｂの一部を切り離した後の処理を示す図である。
【００３４】
図１に示した色紙１００においては、図４（ａ）に示すように、シート基板１３４ｂの一部がベロ状となり、その先端部が穴部１１１，１２２を介して色紙１００の裏面側に表出し、表面シート１１０ｂから離間可能となっているため、切り込み１３６（図３参照）をきっかけとしてシート基板１３４ｂのベロ状である突出部分を切り離す。
【００３５】
すると、シート基板１３４ｂの突出部分には、一端がスイッチ１３３ｂと対向し、他端がＩＣ基板１３２を介してコイン電池１３１のグランド端子に接続された配線パターン１３５ｂ−２がＵターンするように形成されているため、図４（ｂ）に示すように、配線パターン１３５ｂ−２が断線した状態となる。そのため、この状態で録音ボタン１０２ｂを介してスイッチ１３３ｂが押下された場合であっても、図４（ｃ）に示すように、配線パターン１３５ｂ−２が断線していることにより、ＩＣ基板１３２内のＩＣチップのポート端子のうち、配線パターン１３５ｂ−１に接続され、音声情報入出力部１４０を介して入力された音声情報をメモリ領域に記録するための指示信号が入力されるポート端子はオープン状態のままとなり、この状態で音声情報入出力部１４０を介して音声情報が入力されてもその音声情報がＩＣ基板１３２に新たに記録されず、ＩＣ基板１３２に既に記録された音声情報が上書きによって消去されることがない。
【００３６】
その後、図４（ｄ）に示すように、表面シート１１０ｂのうち、シート基板１３４ｂの一部が表出していた領域にシール１０９等を貼付することにより、シート基板１３４ｂに形成されて断線した配線パターン１３５ｂ−２が露出していない状態とする。
【００３７】
このように、音声情報記録／再生部１３０に対する音声情報の再度の記録を禁止する場合、音声情報を記録するための配線パターン１３５ｂ−２が形成され、ベロ状となった先端部が色紙１００の裏面から表出するシート基板１３４ｂを切り離すことになるため、音声情報記録／再生部１３０に対する音声情報の再度の記録を禁止した場合であっても、色紙１００の外形が著しく変わることはない。また、色紙１００の周縁部に施された金縁１０６が一部欠落してしまうことがない。
【００３８】
（第２の実施の形態）
図５は、本発明の音声メッセージ伝達シートの第２の実施の形態を示す図であり、（ａ）は全体を表面から見た図、（ｂ）は（ａ）に示した音声機能部２０１の内部構造を示す図、（ｃ）は（ａ）に示したＡ−Ａ’断面図、（ｄ）は（ａ）に示した音声機能部２０１を裏面から見た図である。また、図６は、図５に示した色紙２００のうち音声機能部２０１の積層状態を示す図である。
【００３９】
本形態は図５及び図６に示すように、第１の実施の形態に示したものに対して、表面シート２１０ｂには、シート基板２３５ｂのベロ状となった突出部分が表出するための穴部が設けられておらず、シート基板２３５ｂのベロ状となった突出部分が支持シート２２０ｂと表面シート２１０ａとの間に介在し、表面シート２１０ｂのうち、シート基板２３５ｂのベロ状となった突出部分に対向する領域が、ミシン目２０５によって捲り上げ可能に構成されている点が異なるものである。また、支持シート２２０ｂのうち、シート基板２３５ｂのベロ状となった突出部分に対向する領域には剥離紙２５０が貼着されており、それにより、シート基板２３５ｂのベロ状となった突出部分が、支持シート２２０ｂの表面に塗布された粘着剤２６０によって支持シート２２０ｂに貼着されないようになっている。この剥離紙２５０は、例えば、支持シート２２０ａ，２２０ｂを剥離紙が貼付されたタック紙を用いた場合、シート基板２３５ｂのベロ状となった突出部分に対向する領域のみ剥離紙を残しておくことが考えられる。
【００４０】
以下に、上記のように構成された色紙２００の使用方法について説明する。
【００４１】
上記のように構成された色紙２００の音声機能部２０１に対して音声情報を記録する方法は、第１の実施の形態にて示したものと同様であるため、説明を省略する。
【００４２】
図７は、図５に示した色紙２００において音声情報の記録を禁止する際の状態を説明するための図であり、（ａ）はシート基板２３４ｂの一部が切り離される前の状態を色紙２００の裏面から見た図、（ｂ）はシート基板２３４ｂの一部が切り離された状態のシート基板２３４ｂ上の詳細な構成を示す図、（ｃ）はシート基板２３４ｂの一部が切り離された後にスイッチ２３３ｂが押下された状態における等価回路図、（ｄ）はシート基板２３４ｂの一部を切り離した後の処理を示す図、（ｅ）はシート基板２３４ｂの一部を切り離した後の色紙２００を裏面から見た図である。
【００４３】
図５に示した色紙２００においては、音声情報の記録を禁止する場合、まず、表面シート２１０ｂに形成されたミシン目２０５を破断し、図７（ａ）に示すように、ミシン目２０５によって囲まれた領域を捲り上げる。そして、シート基板２３４ｂの一部がベロ状となり、その先端部が穴部２２２を介して表面シート２１０ｂと支持シート２２０ｂとの間に介在し、剥離紙２５０によって支持シート２２０ｂから離間可能となっているため、シート基板２３４ｂのベロ状である突出部分を切り離す。
【００４４】
すると、シート基板２３４ｂの突出部分には、一端がスイッチ２３３ｂと対向し、他端がＩＣ基板２３２を介してコイン電池２３１のグランド端子に接続された配線パターン２３５ｂ−２がＵターンするように形成されているため、図７（ｂ）に示すように、配線パターン２３５ｂ−２が断線した状態となる。そのため、この状態で録音ボタン２０２ｂを介してスイッチ２３３ｂが押下された場合であっても、図７（ｃ）に示すように、配線パターン２３５ｂ−２が断線していることにより、ＩＣ基板２３２内のＩＣチップのポート端子のうち、配線パターン２３５ｂ−１に接続され、音声情報入出力部２４０を介して入力された音声情報をメモリ領域に記録するための指示信号が入力されるポート端子はオープン状態のままとなり、この状態で音声情報入出力部２４０を介して音声情報が入力されてもその音声情報がＩＣ基板２３２に新たに記録されず、ＩＣ基板２３２に既に記録された音声情報が上書きによって消去されることがない。
【００４５】
その後、図７（ｄ）に示すように、支持シート２２０ｂに貼付された剥離紙２５０を剥離し、支持シート２２０ｂに塗布された粘着剤２６０を表出させ、図７（ｅ）に示すように表面シート２１０ｂの捲り上げた部分を元に戻して粘着剤２６０によって支持シート２２０ｂと貼着させる。
【００４６】
このように、本形態においては、音声情報記録／再生部２３０に音声情報を記録するための配線パターン２３５ｂ−２が形成されたシート基板２３４ｂの一部がベロ状となって穴部２２２を介して表面シート２１０ｂと支持シート２２０ｂとの間に介在し、表面シート２２０ｂのうち、シート基板２３４ｂのベロ状となった部分に対向する領域が、ミシン目２０５によって捲り上げ可能に構成されているので、音声情報記録／再生部２３０に対する音声情報の再度の記録を禁止する場合、表面シート２２０ｂの捲り上げ可能となった部分を捲り上げ、シート基板２３４ｂのベロ状となった部分を切り離した後、表面シート２２０ｂの捲り上げた部分を元に戻せば、色紙２００の外形が変わることがない。また、色紙２００の周縁部に施された金縁２０６が一部欠落してしまうことがない。
【００４７】
なお、上述した２つの実施の形態においては、音声情報記録／再生部１３０，２３０に音声情報を記録するための配線パターン１３５ｂ−２，２３５ｂ−２が形成されたシート基板１３４ｂ，２３４ｂの一部がベロ状となり、ベロ状の先端部が、支持シート１２０ｂ，２２０ｂに形成された穴部１２２，２２２によって支持シート１２０ｂ，２２０ｂから離間可能となっているが、音声情報記録／再生部１３０，２３０に音声情報を記録するための配線パターン１３５ｂ−１，１３５ｂ−２，２３５ｂ−１，２３５ｂ−２がスイッチ１３３ｂ，２３３ｂとともにベロ状となってそのベロ状の先端部が支持シートから離間可能となっていてもよい。その場合、支持シートのうち、スイッチ１３３ｂ，２３３ｂに対向する領域に形成された穴部によってベロ状の先端部が支持シートから離間可能となる。
【図面の簡単な説明】
【００４８】
【図１】本発明の音声メッセージ伝達シートの第１の実施の形態を示す図であり、（ａ）は全体を表面から見た図、（ｂ）は（ａ）に示した音声機能部の内部構造を示す図、（ｃ）は（ａ）に示したＡ−Ａ’断面図、（ｄ）は（ａ）に示した音声機能部を裏面から見た図である。
【図２】図１に示した色紙のうち音声機能部の積層状態を示す図である。
【図３】図１に示したスイッチの操作による音声機能部の動作を説明するための図であり、（ａ）はシート基板上の詳細な構成を示す図、（ｂ）はスイッチが押下されていない状態におけるスイッチ及びシート基板の断面図、（ｃ）はスイッチが押下された状態におけるスイッチ及びシート基板の断面図、（ｄ）はスイッチが押下されていない状態における等価回路図、（ｅ）はスイッチが押下された状態における等価回路図である。
【図４】図１に示した色紙においてシート基板の一部が切り離された状態における動作を説明するための図であり、（ａ）はシート基板の一部が切り離される前の状態を色紙の裏面から見た図、（ｂ）はシート基板の一部が切り離された状態のシート基板上の詳細な構成を示す図、（ｃ）はシート基板の一部が切り離された後にスイッチが押下された状態における等価回路図、（ｄ）はシート基板の一部を切り離した後の処理を示す図である。
【図５】本発明の音声メッセージ伝達シートの第２の実施の形態を示す図であり、（ａ）は全体を表面から見た図、（ｂ）は（ａ）に示した音声機能部の内部構造を示す図、（ｃ）は（ａ）に示したＡ−Ａ’断面図、（ｄ）は（ａ）に示した音声機能部を裏面から見た図である。
【図６】図５に示した色紙の積層状態を示す図である。
【図７】図５に示した色紙において音声情報の記録を禁止する際の状態を説明するための図であり、（ａ）はシート基板の一部が切り離される前の状態を色紙の裏面から見た図、（ｂ）はシート基板の一部が切り離された状態のシート基板上の詳細な構成を示す図、（ｃ）はシート基板の一部が切り離された後にスイッチが押下された状態における等価回路図、（ｄ）はシート基板の一部を切り離した後の処理を示す図、（ｅ）はシート基板の一部を切り離した後の色紙２００を裏面から見た図である。
【符号の説明】
【００４９】
１００，２００    色紙
１０１，２０１    音声機能部
１０２ａ，２０２ａ    再生ボタン
１０２ｂ，２０２ｂ    録音ボタン
１０３，２０３    情報記入領域
１０４，２０４    音声入出力領域
１０６，２０６    金縁
１０９    シール
１１０ａ，１１０ｂ，２１０ａ，２１０ｂ    表面シート
１１１，１２１〜１２５    穴部
１２０ａ，１２０ｂ，２２０ａ，２２０ｂ    支持シート
１３０，２３０    音声情報記録／再生部
１３１，２３１    コイン電池
１３１ａ，２３１ａ    電源
１３２，２３２    ＩＣ基板
１３３ａ，１３３ｂ，２３３ａ，２３３ｂ    スイッチ
１３４ａ，１３４ｂ，２３４ａ，２３４ｂ    シート基板
１３５ａ−１，１３５ａ−２，１３５ｂ−１，１３５ｂ−２，２３５ａ−１，２３５ａ−２，２３５ｂ−１，２３５ｂ−２    配線パターン
１３７    導電剤
１４０，２４０    音声情報入出力部
１４１，２４１    ピエゾ素子
１４２，２４２    振動板
１６０，２６０    粘着剤
２０５    ミシン目
２５０    剥離紙
【図１】
2010006002.tif 000003
【図２】
2010006002.tif 000004
【図３】
2010006002.tif 000005
【図４】
2010006002.tif 000006
【図５】
2010006002.tif 000007
【図６】
2010006002.tif 000008
【図７】
2010006002.tif 000009